(57)【要約】【課題】  空気調和装置の室内機の内の空気経路の抵抗を減らし、室内機の設置の自由度を向上し、熱交換の効率を上げること。【解決手段】  壁面に設置される室内機のケーシングの背面の全体、又は一部分に、一つ以上の吸入口（１１２）を形成して、この吸入口と送風ファン（１１４）の間に蒸発機（１１６）を配置し、吐出口（１１８）はケーシングの前面側に形成する。吸入口から吸入された空気が蒸発機、送風ファン、及び、吐出口を通過する経路がお互いに重らないようにする。【選択図】      図４
2005077085.tif 000002
【特許請求の範囲】
【請求項１】
圧縮、凝縮及び蒸発を含む冷却サイクルが作動する空気調和装置であって、吸入口、蒸発機、送風ファン及び吐出口を具備する室内機を備え、
少なくとも１つの吸入口を通して吸入した室内空気が、一つの平面を基準にしてみた時、お互いに重複しない状態で、蒸発機、送風ファンを通して最後に吐出口から吐出される、ことを特徴とする空気調和装置。
【請求項２】
吸入口は室内機の外部壁に向いた面に形成されている、ことを特徴とする請求項１に記載の空気調和装置。
【請求項３】
室内機は外部壁の表面に直接設置される、ことを特徴とする請求項２に記載の空気調和装置。
【請求項４】
室内機は外部壁から所定の間隔をあけて設置される、ことを特徴とする請求項２に記載の空気調和装置。
【請求項５】
室内機の外部壁への取付けの形態に応じて室内空気の吸入口の個数、又は、室内空気の吸入量が変わるようにされている、ことを特徴とする請求項２に記載の空気調和装置。
【請求項６】
蒸発機の高さが吸入口の高さより低くないようにされている、ことを特徴とする請求項１に記載の空気調和装置。
【請求項７】
蒸発機は送風ファンに平行、あるいは、送風ファンに対して所定の角度だけ傾斜させて配置される、ことを特徴とする請求項６に記載の空気調和装置設置。
【請求項８】
空気調和装置であって、吸入口、蒸発機、送風ファン及び吐出口を具備する室内機を備え、
吸入口が冷却空気を吐出する吐出口と反対の方向に形成されて、
吸入口は室内機の背面に形成され、
室内機に吸入された室内空気は、蒸発機、送風ファン、及び吐出口を通して吐出され、
吸入口から吸入された室内空気が蒸発機、送風ファン、及び、吐出口を通過する経路がお互いに重畳しないようにされている、
ことを特徴とする空気調和装置。
【請求項９】
室内機を有する空気調和装置装置であって、
室内機のケーシングと、
室内空気を吸入するようにケーシングの背面に形成された吸入口と、
ケーシング内に設置され回転によって室内空気をケーシングの背面から吸入する送風ファンと、
吸入口と送風ファンの間に設置され送風ファンの作用によりケーシング内に吸入された室内空気と冷媒との熱交換を通して冷気を発生する蒸発機と、
蒸発機の作用により生成された冷気を送風ファンの作用により再び室内に吐出されるようにする吐出口と、
を具備する、ことを特徴とする空気調和装置。
【請求項１０】
吸入口が室内機の背面の全体に形成されている、ことを特徴とする請求項９に記載の空気調和装置。
【請求項１１】
吸入口を室内機の背面の上部、下部と中央部に形成した、ことを特徴とする請求項９に記載の空気調和装置。
【請求項１２】
吸入口を室内機の背面の左右の側部と、中央部に形成した、ことを特徴とする請求項９に記載の空気調和装置。
【請求項１３】
吸入口を室内機の背面の上部と下部と左右の側部に形成した、ことを特徴とする請求項９に記載の空気調和装置。
【請求項１４】
室内機の背面の上部と下部、および、または、左右の側部に形成された吸入口が中央部の面に対して所定角度傾斜せしめられている、ことを特徴とする請求項１０〜１３の一つに記載の空気調和装置。
【請求項１５】
室内機が外部壁に直接取付けられ、背面が外部壁に対向する場合には、
背面の中央部分に形成された吸入口が外部壁で閉塞され、室内空気は背面の４つの枠部に形成された吸入口から吸入される、ことを特徴とする請求項１０に記載の空気調和装置。
【請求項１６】
室内機が外部壁に間隔をあけて取付けられ、背面が外部壁に対向する場合には、
背面の中央部分に形成された吸入口が外部壁で閉塞され、空気は、背面の中央部と４つの枠部に形成された吸入口から吸入される、ことを特徴とする請求項１０に記載の空気調和装置。
【請求項１７】
室内機は上下移動ができる固定装置によって外部壁から所定の間隔をあけて取付けられる、ことを特徴とする請求項１５に記載の空気調和装置。
【請求項１８】
吸入口を通して室内機内に吸入された室内空気の送風力を向上させるように室内機内に１個以上の送風ファンが設置されている、ことを特徴とする請求項８に記載の空気調和装置。
【請求項１９】
吐出口は送風ファンの円周方向に調和した室内機の前面の両側部に一つ以上形成されている、ことを特徴とする請求項８に記載の空気調和装置。
【請求項２０】
送風ファンの外周面と吐出口の間に、送風ファンにより送風された室内空気が吐出口以外の方向に吐出されることを防止するためのガイド部材が設置されている、ことを特徴とした請求項１８に記載の空気調和装置。
【発明の詳細な説明】
【技術分野】
【０００１】
本発明は空気調和装置の室内機における空気の経路に関する。特には、壁面に位置した室内機の背面の全体、又は、一部分に一つ以上の吸入口を形成し、背面の吸入口と送風ファンの間に蒸発機を配置し、送風機の作用により吸入口から吸入された室内空気が蒸発機を経て室内機の前面に形成された吐出口から吐出される空気調和装置の室内機に関する。
【背景技術】
【０００２】
図１は一般的な空気調和装置を概略的に示した図である。図１を参照すると、従来の空気調和装置は室外に配置され外部空気と熱交換をする室外機１０と室内に配置され空気調和をおこなう室内機２０と、室外機と室内機を連結させる連結配管３０とから構成されている。
【０００３】
より詳細に説明すれば、室外機１０は室内機２０から流入した低温低圧の気体冷媒を低温低圧の液体冷媒に変換させる。そのために、圧縮機１１、凝縮機１２、及び膨張バルブ１３を有する。
【０００４】
圧縮機１１は室内機２０から流入した低温低圧の気体冷媒を高温高圧の気体冷媒に変換する。凝縮機１２は高温高圧の気体冷媒を中温高圧の液体冷媒に変換する。膨張バルブ１３は中温高圧の液体冷媒を低温低圧の液体冷媒に変換する。
凝縮機１２は外部との熱交換が直接おこなわれる部材として、外部空気を吹き付ける為のファン１２ａを備えている。
【０００５】
一方、室内機２０では室外機１０から流入した低温低圧の液体冷媒が低温低圧の気体冷媒に変換され、この時の蒸発を利用して室内の温度が低下される。室内機２０は低温低圧の液体冷媒を低温低圧の気体冷媒に変換する蒸圧機２１と、ファン２１ａを備えている。
【０００６】
連結配管３０は室外機１０と室内機２０を連結して冷媒の流れを可能にしている。そしてその配置は室外機１０と室内機２０の距離に応じて適切に決定される。
【０００７】
上述のように、一般的に空気調和装置は圧縮機、凝縮機、毛細管である膨張バルブ、熱交換機である蒸発機等で構成される冷凍サイクル装置が内部に装着されていて、蒸発機で形成されている冷気と凝縮機から発生される温気を室内の状況によって適切に調節して室内の空気を涼しく快適にしてくれる機器である。
【０００８】
空気調和装置には２つのタイプがある。一つは窓型空気調和装置であり、この窓型空気調和装置では冷凍サイクル装置が一つのボデーに納められて窓枠に取付けられるように小形化されている。他の一つは分離型空気調和装置であって、室内機を室外機から分離して設置することができる。分離型空気調和装置はどこに設置されるかによって、壁掛け型、床置型、天井掛け型、天井埋め込み型等に区別される。また、使用者の要望に応じて壁掛け型、床置型、天井掛け型として使用できる室内機はコンバーチブル室内機と言われる。
【０００９】
室外機は通常騒音発生が多い圧縮機、凝縮機、冷却ファン等を含んで構成され、室内機は蒸発機と送風ファンを含んで構成される。
【００１０】
図２、３を参照すると、空気調和装置の室内機１は長方形のケーシング１０と、室内空気を吸入できるようにケーシング１０の前面中央に形成され吸入口１２と、ケーシング１０内に設置され回転によって室内空気をケーシング内に吸入する送風ファン１４と、室内空気の吸入口１２と送風ファン１４の間に設置され送風ファン１４の吸入作用を通してケーシング１０内に吸入された室内空気と冷媒との熱交換を通して冷気を生成する蒸発機１６と、蒸発機１６の蒸発作用により生成された冷気を送風ファン１４の送風作用を通して再び室内に吐出されるようにケーシング１０の前面枠又はケーシング１０の上部／下部に形成された吐出口１８で形成されている。
【００１１】
このように構成された従来の室内機の作動を説明すると次のようになる。
室外機１０（図１）から低温低圧の液状状態に膨脹された冷媒が室内機１（図２）内の蒸発機１６に流入されると同時に送風ファン１４の回転による室内空気が室内機１の前面中央に形成された吸入口１２を通して室内機１内に吸入される。
【００１２】
吸入された室内空気は蒸発機１６の管内を通過する冷媒との熱交換によって冷却された後、送風ファン１４によって、図３ａに示されるような、吸入口１２と同一平面上に形成された、すなわちケーシング１０の前面の枠部に形成された吐出口１８、あるいは、図３ｂに示されるように、ケーシング１０の上部と下部に形成された吐出口１８を通して室内に吐出される。室内の空気が充分に冷却されるまでこのプロセスが繰り返される。
【００１３】
しかし、従来の空気調和装置の室内機１の場合、図３ａ，３ｂのように、室内空気の流動経路が室内機前面中央に形成された吸入口１２から蒸発機１６及び送風ファン１４を経て吐出口１８にまで続く”Ｕ“字状や、“Ｌ”字状に形成されている。その結果、空気の流動抵抗が大きいという問題、および、これに起因して室内機１の騒音が大きいという問題があつた。
【００１４】
吸入口１２と吐出口１８が図３ａのように、室内機の前面の同一平面上に形成される場合には別の問題もある。このような場合、吐出口１８のために吸入口１２の大きさ又は面積が制限される。この吸入口１２の大きさ又は面積の制限は蒸発機１６の大きさ又は面積にも影響を与える。典型的には、従来技術の空気調和装置の室内機では蒸発機１６は吸入口１２と同一、又は吸入口１２より多少小さい大きさ又は面積されている。
【００１５】
吸入口１２の大きさ又は面積、及び、蒸発機１６の大きさ又は面積の制限は、室内機１に吸入される室内空気と冷媒間の熱交換をする蒸発機１６の熱交換効率の低下の主要な要因となっている。
【００１６】
さらに、同一平面上に形成された吸入口１２から吐出口１８を有する場合には、吸入口１２から吐出口１８への“Ｕ”字状のダクト内の空気流路が円滑になるように室内機１の配置には細心の注意が必要であった。
【００１７】
図３ａ，３ｂに図示したように、吸入口１２と吐出口１８、あるいは、吸入口１２のみが室内機１の前面に形成されていると、装飾のために、室内機１の前面にロゴや模様等を刻設したり、あるいは、特徴ある仕上げ材料でコーティングするのがという問題もある。
【発明の開示】
【発明が解決しようとする課題】
【００１８】
本発明の目的は、少なくとも、上記の問題、および、または、欠点を解消し、さらには少なくとも、以下に述べるような利点を提供することである。
【００１９】
したがって、本発明の一つの目的は、上記の課題を、吸入口を室内機の背面に形成し、蒸発機をこの室内機の背面の吸入口と送風ファンの間に配置し、蒸発機及び送風ファンから室内機の前面に形成された吐出口へむかう空気の流路が略直線になり、その結果、送風ファンにより吸入口で吸入された空気が蒸発機に真っ直ぐに進み吐出口から排出され空気の流れの抵抗が格段に低下させた壁掛け型の室内機を有する空気調和装置を提供することによって解決することである。
【００２０】
本発明の他の目的は、室内機の吸入口を室内機の前面から室内機の背面全体、又は、一部に変更することで、室内機の設置の自由度を拡大することである。
【００２１】
本発明の他の目的は、室内機の背面に設置される吸入口の面積又は大きさを拡大し、それにより、より大量の空気を室内機に導き、蒸発機の作動を促進し、空気調和装置の室内機の内部の蒸発機の熱交換効率を高めた空気調和装置を提供することである。
【課題を解決するための手段】
【００２２】
上記の目的、利点は、圧縮、凝縮、及び蒸発を含む冷却サイクルが作動する空気調和装置から吸入口、蒸発機、送風ファン及び吐出口を具備する室内機において、一つ以上の吸入口を通して引入した空気が一つの平面を基準として見た時お互いに重複しない状態で蒸発機、送風ファンを通して吐出口で出力されるようにすることで解決される。
【００２３】
本発明の一つの実施の形態では、吸入口は室内機を固定する外部の壁面に対向する側に形成されている。
【００２４】
本発明の一つの実施の形態では、室内機は外部壁の上に、あるいは、外部壁から所定の間隔をあけて設置される。
【００２５】
本発明の一つの実施の形態では、空気吸入口の個数、又は、空気の吸入量が、室内機の外部壁への取付け方に応じて変更可能である。
【００２６】
本発明の一つの実施の形態では、蒸発機の高さは吸入口の高さより低くないようにされている。
【００２７】
本発明の一つの実施の形態では、蒸発機は送風ファンに平行に、あるいは、送風ファンに対して所定の角度を傾斜させて設置される。
【００２８】
本発明の別の態様においては、吸入口、蒸発機、送風ファン及び吐出口を有する空気調和装置の室内機において、吸入口を冷却空気を吐出する吐出口と他の方向に形成し、吸入口は室内機の背面側に形成され、背面に吸入された空気は蒸発機、送風ファン及び吐出口を通して出力され、吸入口から吸入された空気が蒸発機、送風ファン及び吐出口を通過する経路がお互いに重畳しないようにした空気調和機が提供される。
【００２９】
本発明のさらに別の態様においては、吸入口、蒸発機、送風ファン及び吐出口を有する空気調和装置の室内機において、室内機を含むケーシングと、空気が吸入されるようにケーシング背面側に形成された吸入口と、ケーシング内に設置され回転を通して空気がケーシングの背面から吸入されるようにする送風ファンと、吸入口と送風ファンの間に設置され送風ファンの吸入作用を通してケーシング内に吸入された空気と冷媒との熱交換を通して冷気が形成されるようにする蒸発機、及び蒸発機の蒸発作用を通して形成された冷気を送風ファンの送風作用を通して再び室内に吐出されるようにする吐出口を具備する空気調和機が提供される。
【発明の効果】
【００３０】
本発明による壁掛け型の室内機を備える空気調和装置では、吸入口が室内機の背面に形成され、蒸発機が背面の吸入口と送風ファンの間に配置され、蒸発機、送風機から室内機前面側の吐出口に到る空気経路が略直線にされ、その結果、吸入口から吸入された空気は送風ファンにより真っ直ぐに蒸発機に進み、吐出口から吐出され、ダクト内の空気の流れの抵抗が格段に減少される。
【００３１】
また、このように室内機の吸入口を室内機の前面ではなくて背面に形成することによって室内機の設置の自由度が格段に増大する。
【００３２】
そして、吸入口を室内機の背面全体に形成することによって、吸入口と蒸発機のためにより大きなスペースが確保でき、それによりより多くの室内空気が熱交換され熱交換効率がよい。
【００３３】
また、このように吸入口を室内機の背面の全体に形成し、吸入口と送風ファンの間に蒸発機を設置することによって、蒸発機のサイズを大きくすることができ、より多くの室内空気を高い効率で熱交換することができる。これは、同一平面上に吸入口と吐出口が形成されて蒸発機の 大きさ又は面積が制限される従来技術の室内機に比べて全く対称的である。
【００３４】
その結果、装飾のために、室内機１の前面にロゴや模様等を刻設したり、あるいは、特徴ある仕上げ材料でコーティングするということが可能となった。
【００３５】
本発明の他の利点、目的、および、特徴は以下に説明され、当業者は以下を考察し、あるいは、発明を実施することによりこれを理解することができるであろう。
本発明の目的と利点は請求の範囲の記載から実現され、達成されるであろう。
【発明を実施するための最良の形態】
【００３６】
以下、本発明による空気調和装置の室内機の望ましい実施例について添付された図面を参照して説明する。
【００３７】
図４は本発明による空気調和装置の室内機の斜視図であり、図５ａ、５ｂは本発明による空気調和装置の室内機の縦方向から見た断面図及び正面から見た断面図であり、図６ａ、６ｂは本発明による空気調和装置の室内機の横方向から見た断面図であり、図７は本発明による空気調和装置の室内機の背面図である。
【００３８】
本発明の空気調和装置の室内機は、外部壁に直接、あるいは、一定の間隔をあけて配置され、背面形成された吸入口１１２と、送風ファン１１４と、吸入口１１２と送風ファン１１４の間に配置された蒸発機１１６と、増大された面積を有する吸入口１１２から吸入された大量の室内空気を、蒸発機１１６及び送風ファン１１４を経て排出させる吐出口１１８を備え、吸入口１１２から蒸発機１１６、送風ファン１１４を経て吐出口１１８までの空気経路が略一直線状に形成されている。
【００３９】
以下、本発明の空気調和装置の室内機について添付された図４を参考にして詳細に説明する。
図４に示されるように、本発明の空気調和装置の室内機では、室内機１００の背面に形成された吸入口１１２から蒸発機１１６及び送風ファン１１４を経て吐出口１１８に到る空気経路は直線にされている。吐出口１１８は室内機１００の前面の一部分に形成され、例えば、室内機１００の両方の側部の傾斜した枠部１１１、あるいは、両方の側部の傾斜してない枠部、あるいは、上部、下部に形成される。このような直線の空気経路は“Ｕ”字状、あるいは“Ｌ”字状の従来技術の室内機１の空気経路よりも空気の流動抵抗を効果的に低減する。さらに、吸入口１１２を室内機１００の背面に配置することによって室内機１００の設置の自由度が格段に向上し、また、吸入口１１２、および、吸入口１１２と送風ファン１１８の間に配置される蒸発機１１６により多くのスペースが確保される。換言すれば、吸入口１１２及び蒸発機１１６の面積または大きさが増大し、より多くの量の室内空気を吸入でき、それを蒸発機１１６の熱交換に使用できる。
【００４０】
図２に示された従来技術の空気調和装置の室内機１では吸入口１２が前面に形成されているのに対して、本発明による空気調和装置の室内機１００では吸入口１１２が背面に形成されている。その結果、従来技術の室内機１の吸入口１２より広い面積の吸入口１１２を通してより多くの室内空気が吸入される。特に、吸入口１１２と送風ファン１１４の間に蒸発機１１６を設置することで、より多くの量の室内空気が蒸発機１１６内の冷媒と熱交換され、冷気が生成される。
【００４１】
本発明の一つの実施の形態においては、図４〜７に示される空気調和装置の室内機１００は、ケーシング１１０と、室内空気が吸入されるようにケーシング１１０背面に形成された吸入口１１２と、ケーシング１１０内に設置され回転により室内空気がケーシング１１０の背面から吸入されるようにする送風ファン１１４と、吸入口１１２と送風ファン１１４の間に設置され送風ファン１１４の吸入作用によりケーシング１１０内に吸入された室内空気と冷媒との熱交換を通して冷気を生成する蒸発機１１６と、蒸発機１１６の蒸発作用を通して形成された冷気を送風ファン１１４の送風作用により再び室内に吐出するためのケーシング１１０前面の傾斜した枠部１１１に形成された吐出口１１８を有している。
【００４２】
前述のように、吐出口１１８は前面の両側の傾斜した枠、あるいは、傾斜していない枠形成することができる。あるいは、吐出口１１８はケーシング１１０の上部、下部に形成することも可能である。
【００４３】
図５ｂ及び図６ａを参照すると、室内機１００内に吸入された室内空気は、室内機１００背面に形成され吸入口１１２から蒸発機１１６及び送風ファン１１４を経て、室内機１００の前面の傾斜した枠部１１１に形成された吐出口１１８に達する。空気経路は略一直線とされ、これは従来技術の室内機１に形成された“Ｕ”字状や“Ｌ”字状の流動経路よりも空気の流動抵抗が小さい。
【００４４】
図６ａに示されるように、室内空気との熱交換面積が増加するように蒸発機１１６は送風ファン１１４に対して平行、あるいは、送風ファン１１４側に所定角度に傾斜させて設置され、蒸発機１１６の熱交換効率を向上している。
【００４５】
図７を参照すると、吸入口１１２は、室内機１００の背面の中央部Ａ、背面の４つの枠部Ｂ、Ｃ、Ｄ、Ｅに形成され、室内機１００背面の全体に形成されていることが特徴的である。背面の中央部Ａに形成された吸入口１１２は長方形とされている。一方、背面の四つの枠部Ｂ、Ｃ、Ｄ、Ｅに形成された吸入口１１２は台形に形成され、中央部Ａに対してある角度だけ傾斜せしめられている。
【００４６】
図５ａ、５ｂを再び参照すると、吐出口１１８は、送風ファン１１４の円周方向に送風された空気冷気が直接に室内機１００外部に吐出されるように、室内機１００の前面の両側の傾斜した枠部１１１に形成されてる。図９ａに示されるように、送風ファン１１４の外周面から吐出口１１８にかけて送風ファン１１４により送風された空気が吐出口１１８以外の方向に吐出することを防止するための一定曲率のガイド部材１１９が設置されている。
【００４７】
室内機１００を外部壁に直接設置するか、固定装置１３０を介して外部壁に所定の間隔をあけて設置するかにより、吸入口１１２は開放されたり、閉塞されたりする。
例えば、図８ａに示されるように室内機１００を外部壁に直接設置した場合、室内機１００の背面の中央部Ａに形成された吸入口１１２（図７参照）は閉塞され、室内機１００の背面の４つの枠部Ｂ、Ｃ、Ｄ、Ｅに形成された吸入口１１２のみを通って室内機１００内に室内空気が吸入されるようになる。
【００４８】
一方、図８ｂに示されるように室内機１００を固定装置１３０を介して外部壁に所定の間隔をあけて設置した場合には、背面の中央部Ａと室内機１００の背面の４つの枠部Ｂ、Ｃ、Ｄ、Ｅに形成されたすべての吸入口１１２が開放され、より多くの室内空気を吸入することができる。
【００４９】
好ましくは、固定装置１３０は室内機１００の荷重に耐えられるブラケツト（図示せず）に形成される。ブラケツトを使用することにより、使用者は、その要望に応じて、外部壁のいかなる場所、いかなる高さにも室内機１００を設置することができ、より効率的な空調を得ることができる。
【００５０】
図８ａ、８ｂは本発明による空気調和装置の室内機が壁面にそれぞれ異なって設置された場合の室内機の作動状態を示している。図８ａは本発明の室内機が外部壁に直接固定された場合の作動状態を示し、図８ｂは本発明の室内機が固定装置を介して壁面から間隔をあけて設置された場合の作動状態を示している。
【００５１】
まず、図８aに示されるように室内機１００が外部壁に直接設置された場合には、室外機（図示せず）から低温、低圧の液状の冷媒が、室内機１００内の室内機１００の背面に形成された吸入口１１２と送風ファン１１４の間に設置されている蒸発機１１６に流入し、一方、送風ファン１１４の作動により室内空気が室内機１００の背面の４つの枠部に形成された吸入口１１２を通して室内機１００内に吸入される。
【００５２】
前述したように室内機１００が外部壁に直接設置されているので室内機１００背面の中央部に形成されている吸入口１１２は閉塞され、室内機１００の背面の四つの枠部Ｂ、Ｃ、Ｄ、Ｅにそれぞれ形成された吸入口１１２だけが室内空気を吸入するために開放されている。
【００５３】
室内機１００内に吸入された室内空気は蒸発機１１６の管内を通過する冷媒と熱交換して冷却される。図５に示したように、送風ファン１１４の作用により冷却された空気はケーシング１１０の前面の傾斜した枠部１１１に形成された吐出口１１８を通して室内に吐出され、室内の空調が達成される。
【００５４】
一方、図８ｂのように固定装置１３０を介して外部壁から所定の間隔をあけて室内機１００が設置されている場合には、同様に、室外機（図示せず）から低温、低圧の液状の冷媒が、室内機１００内の室内機１００の背面に形成された吸入口１１２と送風ファン１１４の間に設置されている蒸発機１１６に流入し、一方、送風ファン１１４の作動により室内空気が室内機１００の背面の、中央部、および、４つの枠部に形成された吸入口１１２を通して室内機１００内に吸入される。
【００５５】
この場合、室内機１００が外部壁から所定の間隔をあけて設置されているので室内機１００背面の中央部Ａに形成されている吸入口１１２、室内機１００の背面の四つの枠部Ｂ、Ｃ、Ｄ、Ｅにそれぞれ形成された吸入口１１２のすべてが室内空気を吸入するために開放されている。
【００５６】
室内機１００内に吸入された室内空気は蒸発機１１６の管内を通過する冷媒と熱交換して冷却される。図５に示したように、送風ファン１１４の作用により冷却された空気はケーシング１１０の前面の傾斜した枠部１１１に形成された吐出口１１８を通して室内に吐出され、室内の空調が達成される。
【００５７】
図９ａ及び９ｂは本発明の第２の実施の形態による空気調和装置の室内機１００ａを示している。図示されるように、ケーシング１１０と、室内空気が吸入されるようにケーシング１１０背面の上側枠部Ｂ、下側枠部Ｃ、及び、背面の中央部Ａに形成された吸入口１１２と、ケーシング１１０内に設置され回転により室内空気をケーシング１１０の背面から吸入せしめる送風ファン１１４と、吸入口１１２と送風ファン１１４の間に設置され送風ファン１１４の吸入作用によりケーシング１１０内に吸入された室内空気と冷媒との熱交換により冷気を生成する蒸発機１１６と、蒸発機１１６により生成された冷気を送風ファン１１４の送風作用によって再び室内に吐出するようにケーシング１１０前方傾斜枠部１１１に形成された吐出口１１８を備えている。
【００５８】
図１０a、１０ｂは本発明の第３の実施の形態の空気調和装置の室内機１００ｂの吸入口を示している。図示されるように、ケーシング１１０と，室内空気が吸入されるようにケーシング１１０背面の左側枠部Ｄ、右側枠部Ｅ、及び、背面の中央部Ａに形成された吸入口１１２と、ケーシング１１０内に設置され、回転により室内空気がケーシング１１０の背面から吸入せしめる送風ファン１１４と、吸入口１１２と送風ファン１１４の間に設置され送風ファン１１４の吸入作用によりケーシング１１０内に吸入された室内空気と冷媒との熱交換により冷気を生成する蒸発機１１６と、蒸発機１１６の蒸発作用により生成された冷気を送風ファン１１４の送風作用により再び室内に吐出するようにケーシング１１０の前面の傾斜した枠部１１１に形成された吐出口１１８を備えている。
【００５９】
図１１ａ、１１ｂは 本発明の第４の実施の形態の空気調和装置の室内機１００ｂの吸入口を示している。図示されるように、ケーシング１１０と，室内空気が吸入されるようにケーシング１１０背面の上側枠部Ａ、下側枠部Ｂ、左側枠部Ｄ、右側枠部Ｅに形成された吸入口１１２と、ケーシング１１０内に設置され、回転により室内空気がケーシング１１０の背面から吸入せしめる送風ファン１１４と、吸入口１１２と送風ファン１１４の間に設置され送風ファン１１４の吸入作用によりケーシング１１０内に吸入された室内空気と冷媒との熱交換により冷気を生成する蒸発機１１６と、蒸発機１１６の蒸発作用により生成された冷気を送風ファン１１４の送風作用により再び室内に吐出するようにケーシング１１０の前面の傾斜した枠部１１１に形成された吐出口１１８を備えている。
【００６０】
図１２ａ，１２ｂ及び１２ｃは本発明による第５、６、７の実施の形態の空気調和装置の室内機の吸入口を示している。
【００６１】
図１２ａは吸入口が上部枠部Ｂ，下部枠部Ｃに形成される場合を示し、図１２ｂは吸入口が上部枠部Ｂ、右側枠部Ｄ、左側枠部Ｅに形成される場合を示し、図１２ｃは吸入口が下部枠部Ｃ、右側枠部Ｄ、左側枠部Ｅに形成される場合を示している。
【００６２】
以上の図４から図１２ｃに示したように、吸入口１１２を通して室内機１００内に吸入される室内空気の吸入力及び送風力を向上させるように室内機１００内に一つ以上の送風ファン１１４、つまり、モーターの回転軸の両側に送風ファン１１４を設置することも可能である。
【００６３】
以上のように、本発明の空気調和装置の室内機１００は、室内機１００背面に形成された吸入口１１２から蒸発機１１６及び送風ファン１１４を経て吐出口まで略一直線状に形成される空気の流動経路によって、“Ｕ”字状や“Ｌ”字状である従来技術の室内機１の空気の流動経路にくらべて空気の流動抵抗が低減される。また、吸入口１１２を室内機の背面に形成することにより室内機１００設置の自由度が増大する。さらに、吸入口の面積の増加によって蒸発機１１６の熱交換の効率も向上する。
【００６４】
以上、本発明の望ましい実施例を説明したが、本発明は多様な変化と変更及び均等物に適用することができる。
従つて、記載内容は特許請求範囲により本発明の範囲が限定されるものではない。
【産業上の利用可能性】
【００６５】
本発明は空気調和装置の他の同様の家電機器においても適用可能である。
【図面の簡単な説明】
【００６６】
【図１】一般的な空気調和装置を概略的に示す斜視図。
【図２】一般的な空気調和装置の室内機を正面より見た断面図。
【図３ａ】従来の空気調和装置の室内機の作動を示す断面図。
【図３ｂ】従来の空気調和装置の室内機の作動を示す断面図。
【図４】本発明による空気調和装置の室内機の斜視図。
【図５ａ】本発明による空気調和装置の室内機の縦方向より見た断面図。
【図５ｂ】本発明による空気調和装置の室内機の正面より見た断面図。
【図６ａ】本発明による空気調和装置の室内機の横方向より見た断面図。
【図６ｂ】本発明による空気調和装置の室内機の横方向より見た断面図。
【図７】本発明による空気調和装置の室内機の背面図。
【図８ａ】本発明の室内機が外部壁に直接に設置された状態を示す図。
【図８ｂ】本発明の室内機が固定装置を通して外部壁から間隔をあけて設置された状態を示す図。
【図９ａ】本発明による空気調和装置の室内機の第２の実施の形態の縦方向より見た断面図。
【図９ｂ】本発明による空気調和装置の室内機の第２の実施の形態の裏面図。
【図１０ａ】本発明による空気調和装置の室内機の第３の実施の形態の縦方向より見た断面図。
【図１０ｂ】本発明による空気調和装置の室内機の第３の実施の形態の裏面図。
【図１１ａ】本発明による空気調和装置の室内機の第４の実施の形態の縦方向より見た断面図。
【図１１ｂ】本発明による空気調和装置の室内機の第４の実施の形態の裏面図。
【図１２ａ】本発明による空気調和装置の室内機の第５の実施の形態の裏面図。
【図１２ｂ】本発明による空気調和装置の室内機の第６の実施の形態の裏面図。
【図１２ｃ】本発明による空気調和装置の室内機の第７の実施の形態の裏面図。
【図１】
2005077085.tif 000003
【図２】
2005077085.tif 000004
【図３ａ】
2005077085.tif 000005
【図３ｂ】
2005077085.tif 000006
【図４】
2005077085.tif 000007
【図５ａ】
2005077085.tif 000008
【図５ｂ】
2005077085.tif 000009
【図６ａ】
2005077085.tif 000010
【図６ｂ】
2005077085.tif 000011
【図７】
2005077085.tif 000012
【図８ａ】
2005077085.tif 000013
【図８ｂ】
2005077085.tif 000014
【図９ａ】
2005077085.tif 000015
【図９ｂ】
2005077085.tif 000016
【図１０ａ】
2005077085.tif 000017
【図１０ｂ】
2005077085.tif 000018
【図１１ａ】
2005077085.tif 000019
【図１１ｂ】
2005077085.tif 000020
【図１２ａ】
2005077085.tif 000021
【図１２ｂ】
2005077085.tif 000022
【図１２ｃ】
2005077085.tif 000023